(57)【特許請求の範囲】
【請求項１】
ケースの前部開口に表示機器が設置され、この表示機器の前面側にアース板を介してフロントカバーが装着される表示装置のアース板取付構造において、前記ケースの前部開口の周縁とこれに対応する前記アース板の周縁との接触部を、一方の周縁が板状部を備え、他方の周縁が前記板状部を両側から挟持しかつ板状部に対して面接触する挟持部を備える構成とし、前記板状部の一方の面と、これに対向する前記挟持部とのいずれか一方に凸部を設け、他方に前記凸部が入り込む凹部を設けたことを特徴とする表示装置のアース板取付構造。
【請求項２】
板状部および挟持部は、ケースの側面とほぼ平行に形成されていることを特徴とする請求項１記載の表示装置のアース板取付構造。
【請求項３】
挟持部は、板状部に面接触する挟持面と、凸部または凹部を備えた挟持片とを備え、挟持面と挟持片との間で板状部を挟持することを特徴とする請求項１または２記載の表示装置のアース板取付構造。
【発明の詳細な説明】
【０００１】
【発明の属する技術分野】
この発明は、ケースの前部開口に表示機器が設置され、この表示機器の前面側にアース板を介してフロントカバーが装着される表示装置のアース板取付構造に関する。
【０００２】
【従来の技術】
図３は、自動車のインストルメントパネルに装着され、外気温、エアコン設定温度、平均燃費、平均車速、航続可能距離、時計、オーディオなどを一括して表示する表示装置の分解斜視図である。表示機器としてはＬＣＤ（液晶ディスプレイ）１が使用されており、このＬＣＤ１は、導電性材料で構成されているケース３の前部開口３ａに設置され、ケース３内に収容される樹脂製のブロック５に固定保持される。また、上記したＬＣＤ１は、図示しない複数の端子が、前記ブロックに固定される図示しないプリント配線基板に実装される。
【０００３】
ＬＣＤ１の前面側には、アース板７を介してフロントカバー９が装着される。アース板７は、左右両側にケース接触面７ａを備える一方、ケース３は、前記ケース接触面７ａが接触するアース板接触面３ｂを備えている。アース板７は、ケース接触面７ａがケース３のアース板接触面３ｂに接触した状態で、フロントカバー９に表面側が押さえ付けられて固定される。つまり、アース板７は、ケース３とフロントカバー９との間で挟持されて固定される。
【０００４】
フロントカバー９は、下部の２個の係合爪９ａがケース３の係合孔３ｃに係合し、上部の２個の係合爪９ｂが前記ブロック５の係合部に係合してケース３に固定される。
【０００５】
上記したような表示装置のアース板取付構造においては、利用者がフロントカバー９の操作部１０に触れるなどしたときに、静電気がフロントカバー９からアース板７を介してケース３に流れ、さらにケース３から車両のボディに流れる。これにより、静電気がＬＣＤ１へ流れ込むのを防止し、ＬＣＤ１を保護している。
【０００６】
【発明が解決しようとする課題】
しかしながら、このような従来の構造では、次のような問題がある。
【０００７】
（１）ケース３のアース板接触面３ｂが小さいことから、ケース３とアース板７との電気的接触状態の信頼性が充分ではなく、またアース板接触面３ｂを大きくしようとすると、アース板接触面３ｂが側方に突出してケース３の大型化を招くこととなる。
【０００８】
（２）ケース３の側面が外側および内側に撓みやすく、このためアース板接触面３ｂとケース接触面７ａとの確実な接触維持が困難となる。
【０００９】
（３）アース板接触面３ｂとケース接触面７ａとの接触状態が、フロントカバー９とケース３との嵌合力に依存するので、フロントカバー９など他部品の寸法精度まで考慮する必要が生じ、前記接触状態の維持が困難なものとなる。
【００１０】
そこで、この発明は、ケースの大型化を招くことなく、また他部品の寸法精度を考慮することなく、ケースとアース板との接触状態を良好に維持することを目的としている。
【００１１】
【課題を解決するための手段】
前記目的を達成するために、請求項１の発明は、ケースの前部開口に表示機器が設置され、この表示機器の前面側にアース板を介してフロントカバーが装着される表示装置のアース板取付構造において、前記ケースの前部開口の周縁とこれに対応する前記アース板の周縁との接触部を、一方の周縁が板状部を備え、他方の周縁が前記板状部を両側から挟持しかつ板状部に対して面接触する挟持部を備える構成とし、前記板状部の一方の面と、これに対向する前記挟持部とのいずれか一方に凸部を設け、他方に前記凸部が入り込む凹部を設けた構成としてある。
【００１２】
このような構成の表示装置のアース板取付構造によれば、アース板をケースに装着する際に、一方に設けた板状部が、他方に設けた挟持部によって挟持され、このとき、板状部と挟持部とは相互に面接触する。
また、一方に設けた板状部が、他方に設けた挟持部によって挟持される際に、凸部が凹部に入り込む。
【００１３】
請求項２の発明は、請求項１の発明の構成において、板状部および挟持部は、ケースの側面とほぼ平行に形成されている。
【００１４】
上記構成によれば、板状部と挟持部との接触面積を大きくする際の接触面積の拡大は、ケースの側面を構成する部分内でほぼ収まる。
【００１７】
請求項３の発明は、請求項１または２発明の構成において、挟持部は、板状部に面接触する挟持面と、凸部または凹部を備えた挟持片とを備え、挟持面と挟持片との間で板状部を挟持する構成としてある。
【００１８】
上記構成によれば、アース板をケースに装着する際に、板状部が挟持面と挟持片との間に挿入されるとともに、凸部が凹部に入り込む。
【００１９】
【発明の実施の形態】
以下、この発明の実施の形態を図面に基づき説明する。
【００２０】
図１は、この発明の実施の一形態に係わるアース板取付構造を備えた表示装置の分解斜視図である。この表示装置は、前記図３のものと同様に、自動車のインストルメントパネルに装着され、外気温、エアコン設定温度、平均燃費、平均車速、航続可能距離、時計、オーディオなどを一括して表示するものである。
【００２１】
導電性材料で構成されるケース１１の前部開口１３には、表示機器としてのＬＣＤ１５が、ケース１１内に収容される、図示しない樹脂製のブロックに保持された状態で設置される。またＬＣＤ１５には図示しない複数の端子が設けられ、この端子が、前記ブロックに固定される、図示しないプリント配線基板に実装固定される。ＬＣＤ１５の前面側には、アース板１７を介してフロントカバー１９が装着される。
【００２２】
ケース１１の周縁３カ所、すなわち、左右２カ所および上部１カ所には、アース板１７の周縁との接触部となる板状部２１，２３および２５がそれぞれ形成されている。左右の板状部２１，２３は、ケース１１の上下寸法のほぼ全域に形成され、かつ内側に僅かに屈曲してケース１１の左右の側面とほぼ平行となっている。上部の板状部２５は、左右方向中央の一部に形成され、かつ内側に僅かに屈曲してケース１１の上部側の側面とほぼ平行となっている。
【００２３】
アース板１７は、ＬＣＤ１５の表示領域を目視できるよう中央に開口部２６が形成されるとともに、周縁には、前記ケース１１の板状部２１，２３，２５との接触部となる挟持部２７，２９，３１が、左右２カ所および上部１カ所にそれぞれ設けられている。
【００２４】
左右の挟持部２７，２９は、アース板１７の上下寸法のほぼ全域に形成され、かつケース１１に向けて屈曲する挟持面３３，３５と、挟持面３３，３５の上下方向ほぼ中央部にて挟持面３３，３５よりさらに内側位置にてケース１１側に向けて屈曲する中央挟持片３７，３９とから構成されている。すなわち、挟持面３３，３５と中央挟持片３７，３９との間には、ケース１１の板状部２１，２３が入り込む隙間が形成される。
【００２５】
板状部２１，２３が、挟持面３３，３５と中央挟持片３７，３９との隙間に入り込んだ状態で、中央挟持片３７，３９に対応する部位の板状部２１，２３には、凸部２１ａ，２３ａがそれぞれ形成されている。一方、中央挟持片３７，３９には、上記した凸部２１ａ，２３ａがそれぞれ入り込む凹部としての嵌合孔３７ａ，３９ａがそれぞれ形成されている。
【００２６】
アース板１７における上部の挟持部３１は、左右方向中央の一部に形成され、かつケース１１に向けて屈曲する挟持面４１と、この挟持面４１の左右方向ほぼ中央部にて挟持面４１よりさらに内側位置にてケース１１側に向けて屈曲する中央挟持片４３とを備えている。すなわち、挟持面４１と中央挟持片４３との間には、ケース１１の板状部２５が入り込む隙間が形成される。
【００２７】
板状部２５が、挟持面４１と中央挟持片４３との隙間に入り込んだ状態で、中央挟持片４３に対応する部位の板状部２５には、凸部２５ａが形成されている。一方、中央挟持片４３には、上記した凸部２５ａが入り込む凹部としての嵌合孔４３ａが形成されている。
【００２８】
図２は、図１におけるアース板１７がケース１１に装着された状態での拡大されたＡ−Ａ断面図で、ケース１１の板状部２５が、アース板１７の挟持面４１と中央挟持片４３との隙間に挿入され、かつ凸部２５ａが嵌合孔４３ａに入り込んでいる。ここで、挟持面４１と中央挟持片４３との隙間の寸法Ｂは、板状部２５の上面と凸部２５ａの先端（下端）との間の寸法Ｃより小さくしてある。これにより、凸部２５ａが嵌合孔４３ａに入り込んだ状態で板状部２５は、上方へ押されて挟持面４１に押し付けられ面接触することになる。
【００２９】
上記図２に示したような嵌合構造は、左右の板状部２１，２３と左右の挟持部２７，２９との間においても同様であり、同様の寸法関係が適用されている。
【００３０】
フロントカバー１９は、ＬＣＤ１５の表示領域を目視できるよう中央に開口部４５が形成されるとともに、開口部４５の下部には、本表示装置を操作するための操作部４７が設けられている。また、フロントカバー１９の上部および下部には、アース板１７側に突出する係合爪４９が２個ずつ全部で４個設けられている。この係合爪４９に対応してケース１１の上面および下面には、係合爪４９が係合する係合孔５１が形成されている。
【００３１】
上記したような表示装置のアース板取付構造によれば、ＬＣＤ１５がケース１１の前部開口１３に取り付けられた状態で、アース板１７をケース１１に装着する際には、ケース１１の板状部２１，２３，２５が、それぞれ対応するアース板１７の挟持部２７，２９，３１における挟持面３３，３５，４１と中央挟持片３７，３９，４３との隙間に挿入され、かつ、図２に示すように、凸部２１ａ，２３ａ，２５ａが嵌合孔３７ａ，３９ａ，４３ａにそれぞれ入り込む。
【００３２】
凸部２１ａ，２３ａ，２５ａが嵌合孔３７ａ，３９ａ，４３ａに入り込むことで、図２で説明したように寸法Ｂを寸法Ｃより小さく設定してあるので、板状部２１，２３，２５は挟持面３３，３５，４１に対し面接触して密着し、これによりアース板１７とケース１１と電気的接触状態が確実に維持される。
【００３３】
相互に面接触する板状部２１，２３，２５および挟持面３３，３５，４１は、ケース１１の側面とほぼ平行に形成されているので、接触面積を大きくしても、ケース１１の側面内にほぼ収まり、ケース１１の外側へ突出するようなことはなく、このため、ケース１１の大型化が回避される。
【００３４】
また、凸部２１ａ，２３ａ，２５ａが嵌合孔３７ａ，３９ａ，４３ａに入り込むことで、アース板１７のケース１１に対する位置合わせおよび抜けを防止することができる。さらに、アース板１７は、その挟持部２７，２９，３１によってケース１１に装着される構成となっているので、従来のように、他部品すなわちフロントカバー１９に依存することなく、ケース１１とアース板１７との接触状態を容易に維持することができる。ケース１１は、その板状部２１，２３，２５が挟持面３３，３５，４１と中央挟持片３７，３９，４３とによって挟持固定されるので、剛性が高まって、側面が撓みにくくなり、前記接触状態の維持に有効となる。
【００３５】
アース板１７がケース１１に装着されたら、フロントカバー１９を、その係合爪４９をケース１１の係合孔５１に係合させることで、ケース１１に固定する。これにより、表示装置の組み付けが完了する。この状態で、利用者が、操作部４７を操作するなどしてフロントカバー１９に触れたときに、利用者に帯電している静電気が、フロントカバー１９からアース板１７へ流れ、さらにアース板１７の挟持部２７，２９，３１から、これと電気的接触状態が良好に維持されている板状部２１，２３，２５を経てケース１１に流れる。これにより、静電気のＬＣＤ１５への流入が回避され、ＬＣＤ１５が確実に保護される。
【００３６】
なお、板状部２１，２３，２５をアース板１７側に、挟持部２７，２９，３１をケース１１側にそれぞれ設けるようにしてもよく、また、凸部２１ａ，２３ａ，２５ａを中央挟持片３７，３９，４３側に、嵌合孔３７ａ，３９ａ，４３ａを板状部２１，２３，２５側にそれぞれ設けてもよい。
【００３７】
【発明の効果】
以上説明してきたように、請求項１の発明によれば、ケースの前部開口の周縁とこれに対応するアース板の周縁との接触部を、一方の周縁が板状部を備え、他方の周縁が前記板状部を両側から挟持しかつ板状部に対して面接触する挟持部を備えている構成としたので、他部品の寸法誤差に依存することなく、相互の接触状態を容易に維持できるとともに、ケース側面の剛性を高めることができて板状部と挟持部との接触状態を良好に維持することができる。
また、板状部の一方の面と、これに対向する挟持部とのいずれか一方に凸部を設け、他方に前記凸部が入り込む凹部を設けたので、アース板のケースに対する位置合わせおよび抜け止めを行うことができる。
【００３８】
請求項２の発明によれば、板状部および挟持部は、ケースの側面とほぼ平行に形成されているので、板状部と挟持部との接触面積を大きくしても、ケースの外側へ突出することがなく、ケースの大型化を回避することができる。
【００４０】
請求項３の発明によれば、挟持部は、板状部に面接触する挟持面と、凸部または凹部を備えた挟持片とを備え、挟持面と挟持片との間で板状部を挟持するようにしたので、ケースとアース板との接触状態を良好に維持することができる。
【図面の簡単な説明】
【図１】この発明の実施の一形態に係わるアース板取付構造を備えた表示装置の分解斜視図である。
【図２】図１におけるアース板がケースに装着された状態での拡大されたＡ−Ａ断面図である。
【図３】従来例に係わるアース板取付構造を備えた表示装置の分解斜視図である。
【符号の説明】
１１  ケース
１３  前部開口
１５  ＬＣＤ（表示機器）
１７  アース板
１９  フロントカバー
２１，２３，２５  板状部
２１ａ，２３ａ，２５ａ  凸部
２７，２９，３１  挟持部
３３，３５，４１  挟持面
３７，３９，４３  中央挟持片
３７ａ，３９ａ，４３ａ  嵌合孔（凹部）
【図１】
0003916367.tif 000002
【図２】
0003916367.tif 000003
【図３】
0003916367.tif 000004